(57)【要約】【課題】過去の暦年の出来事を表示する新規なカレンダー表示器具を提供する。【解決手段】暦年、暦月、暦日及び曜日を日ごとに特定可能に表示するカレンダー機能を有するカレンダー表示器具である。カレンダー機能が使用される暦年を「現暦年」、現暦年よりも過去の暦年であって暦月、暦日及び曜日の関係が現暦年における該関係と同じである暦年を「同一曜日回り過去暦年」とそれぞれ定義する。現暦年の表示１２、同一曜日回り過去暦年の表示１４、暦月の表示１６、暦日の表示２０、曜日の表示１８、表示される同一曜日回り過去暦年に発生した出来事の表示であって、当該出来事が発生した月日に該当する暦日の表示領域２４に表示される出来事の表示２２を有する。【選択図】図１
0003220714.tif 000002
【実用新案登録請求の範囲】
【請求項１】
暦年、暦月、暦日及び曜日を日ごとに特定可能に表示するカレンダー機能を有するカレンダー表示器具において、
前記カレンダー機能が使用される暦年を「現暦年」、前記現暦年よりも過去の暦年であって暦月、暦日及び曜日の関係が前記現暦年における該関係と同じである暦年を「同一曜日回り過去暦年」とそれぞれ定義して、
現暦年の表示と、
同一曜日回り過去暦年の表示と、
暦月の表示と、
暦日の表示と、
曜日の表示と、
前記表示される同一曜日回り過去暦年に発生した出来事の表示であって、当該出来事が発生した月日に該当する暦日の表示領域に表示される出来事の表示と
を有するカレンダー表示器具。
【請求項２】
前記各表示される現暦年及び同一曜日回り過去暦年とで暦月、暦日及び曜日の関係が同じであることを示す又は示唆する補助的表示をさらに有する請求項１に記載のカレンダー表示器具。
【請求項３】
前記出来事の表示で表示される出来事が、前記同一曜日回り過去暦年の表示で特定される過去の暦年に発生した出来事であることを示す又は示唆する補助的表示をさらに有する請求項１又は２に記載のカレンダー表示器具。
【請求項４】
前記現暦年の表示と前記同一曜日回り過去暦年の表示が相互に隣接して表示される請求項１から３のいずれか１つに記載のカレンダー表示器具。
【請求項５】
前記暦日の表示領域に、前記同一曜日回り過去暦年以外の過去の暦年に発生した出来事の表示を有しない請求項１から４のいずれか１つに記載のカレンダー表示器具。
【請求項６】
前記出来事の表示自体に個別に付記表示される前記同一曜日回り過去暦年の表示を有しない請求項１から５のいずれか１つに記載のカレンダー表示器具。
【請求項７】
前記出来事の表示自体に個別に付記表示される前記曜日の表示を有しない請求項１から６のいずれか１つに記載のカレンダー表示器具。
【請求項８】
前記現暦年の表示と、前記同一曜日回り過去暦年の表示と、前記暦月の表示と、前記暦日の表示と、前記曜日の表示と、前記出来事の表示が一覧可能に表示される請求項１から７のいずれか１つに記載のカレンダー表示器具。
【請求項９】
印刷で前記表示の全部又は一部を行う請求項１から８のいずれか１つに記載のカレンダー表示器具。
【請求項１０】
電子的又は電気的に前記表示の全部又は一部を行う請求項１から８のいずれか１つに記載のカレンダー表示器具。
【請求項１１】
前記出来事の表示にリンクが張られており、該出来事の表示が選択操作されたときに、リンク先から該出来事に関連する情報を取得して該情報を表示し又は該情報による音声を再生する請求項１０に記載のカレンダー表示器具。
【考案の詳細な説明】
【技術分野】
【０００１】
この考案は過去の暦年の出来事を表示するカレンダー表示器具に関する。ここで「カレンダー表示器具」とは、一般に「カレンダー」と呼ばれる物品に限らず、その名称の如何を問わず、カレンダー機能（暦年、暦月、暦日及び曜日を日ごとに特定可能に表示する機能）を有するスケジュール表、スケジュール帳、手帳、日記帳等の各種物品を含むものとする。また、「カレンダー表示器具」には、紙片、板片等に印刷等でカレンダーを表示するものに限らず、ディスプレイに電子的又は電気的に表示を行う電子又は電気表示式のもの等を含むものとする。
【背景技術】
【０００２】
過去の暦年の出来事を表示するカレンダー表示器具として、下記特許文献１〜３に記載されたものがあった。
【先行技術文献】
【特許文献】
【０００３】
【特許文献１】実用新案登録第２５０８９２９号公報
【特許文献２】実用新案登録第３０９９０４８号公報
【特許文献３】実用新案登録第３１９７３３３号公報
【考案の概要】
【考案が解決しようとする課題】
【０００４】
特許文献１〜３に記載のカレンダー表示器具は、過去の様々な暦年の様々な出来事を雑多に表示するものであった。このため、過去の特定の１年間の出来事を、時の流れの中で振り返り、実感する（つまり歴史を追体験する）ことが困難であった。また、暦月及び暦日が同じでも、暦年によって曜日が異なるので、出来事が発生した曜日を把握するためには、各出来事の表示自体に個別に曜日を付記表示する必要があった。
【０００５】
この考案は、過去の暦年の出来事を表示する新規なカレンダー表示器具を提供するものである。
【課題を解決するための手段】
【０００６】
この考案のカレンダー表示器具は、暦年、暦月、暦日及び曜日を日ごとに特定可能に表示するカレンダー機能を有するカレンダー表示器具において、前記カレンダー機能が使用される暦年を「現暦年」、前記現暦年よりも過去の暦年であって暦月、暦日及び曜日の関係が前記現暦年における該関係と同じである暦年を「同一曜日回り過去暦年」とそれぞれ定義して、現暦年の表示と、同一曜日回り過去暦年の表示と、暦月の表示と、暦日の表示と、曜日の表示と、前記表示される同一曜日回り過去暦年に発生した出来事の表示であって、当該出来事が発生した月日に該当する暦日の表示領域（暦日の表示と一対一に対応付けられる領域）に表示される出来事の表示とを有するものである。この考案によれば、カレンダー表示器具がカレンダー機能を果たすために本来的に有する暦月、暦日及び曜日の表示により、同一曜日回り過去暦年の出来事について、その発生した暦月及び暦日のほか曜日を知ることができる。なお、この考案は、出来事の表示自体に個別に、その発生した暦年及び／又は曜日を併せて付記表示する場合を除外するものではない。また、この考案は、前記表示の全部が一覧可能に表示される場合に限定されるものではない。例えば、月表形式のカレンダーの場合に、同一曜日回り過去暦年の表示を表紙ページに説明書きで表示し、各月のページには表示しないということも可能である。
【０００７】
この考案のカレンダー表示器具は、前記各表示される現暦年及び同一曜日回り過去暦年とで暦月、暦日及び曜日の関係が同じであることを示す又は示唆する補助的表示をさらに有することができる。これによれば、補助的表示により、表示される現暦年及び同一曜日回り過去暦年とで暦月、暦日及び曜日の関係が同じであること、したがって表示される同一曜日回り過去暦年の出来事について、その発生した暦月、暦日及び曜日を、カレンダーがその機能を果たすために本来的に有する暦月、暦日及び曜日の表示により知ることができることを理解することができる。
【０００８】
この考案のカレンダー表示器具は、前記出来事の表示で表示される出来事が、前記同一曜日回り過去暦年の表示で特定される過去の暦年に発生した出来事であることを示す又は示唆する補助的表示をさらに有することができる。これによれば、補助的表示により、表示されている各出来事が、同一曜日回り過去暦年の表示で特定される過去の暦年に発生した出来事であることを理解することができる。
【０００９】
この考案のカレンダー表示器具は、前記現暦年の表示と前記同一曜日回り過去暦年の表示が相互に隣接して表示されるものとすることができる。これによれば、現暦年と同一曜日回り過去暦年を容易に把握することができる。この場合、現暦年と同一曜日回り過去暦年の表示態様を異ならせることにより、現暦年と同一曜日回り過去暦年の識別を容易にすることができる。特に、現暦年の表示の方が同一曜日回り過去暦年の表示よりも目立つように表示すれば、同一曜日回り過去暦年を現暦年と見間違えるのを抑制することができる。
【００１０】
この考案のカレンダー表示器具は、前記暦日の表示領域に、前記同一曜日回り過去暦年以外の過去の暦年に発生した出来事の表示を有しないものとすることができる。これによれば、暦日の表示領域に、同一曜日回り過去暦年以外の過去の暦年に発生した出来事は表示されないので、過去の特定の１年間の出来事を、時の流れの中で振り返り、実感する（つまり歴史を追体験する）ことが容易になる。
【００１１】
この考案のカレンダー表示器具は、前記出来事の表示自体に個別に付記表示される前記同一曜日回り過去暦年の表示を有しないものとすることができる。これによれば、出来事の表示を簡潔に構成することができる。
【００１２】
この考案のカレンダー表示器具は、前記出来事の表示自体に個別に付記表示される前記曜日の表示を有しないものとすることができる。これによれば、出来事の表示を簡潔に構成することができる。
【００１３】
この考案のカレンダー表示器具は、前記現暦年の表示と、前記同一曜日回り過去暦年の表示と、前記暦月の表示と、前記暦日の表示と、前記曜日の表示と、前記出来事の表示が一覧可能に表示されるものとすることができる。これによれば、表示されている出来事が発生した暦年を、同じ面に表示される同一曜日回り過去暦年の表示で確認することができる。
【００１４】
この考案のカレンダー表示器具は、例えば、紙片、板片その他の物体に印刷で前記表示の全部又は一部を行う印刷式カレンダー表示器具、又はディスプレイに電子的又は電気的に前記表示の全部又は一部を行う電子又は電気式カレンダー表示器具等として構成することができる。この場合、前記出来事の表示にリンクが張られており、該出来事の表示が選択操作されたときに、リンク先から該出来事に関連する情報を取得して該情報を表示し又は該情報による音声を再生するように構成することができる。このようにすれば、操作者はその出来事の内容をより詳しく確認することができる。電子又は電気式カレンダー表示器具は、この考案によるカレンダー表示を行うコンピュータプログラムを含むことができる。
【００１５】
この考案のカレンダー表示器具は、例えば、単一年又は複数年の年表式、単一月又は複数月の月表式、単一週又は複数週の週表式、単一日又は複数日の日表式カレンダー等として構成することができる。単一年の年表式カレンダーは、１ページで１年を表示するほか、２ページの見開きページで１年を表示するものとして構成することもできる。同様に、単一月の月表式カレンダーは、１ページで１ヶ月を表示するほか、２ページの見開きページで１ヶ月を表示するものとして構成することもできる。
【図面の簡単な説明】
【００１６】
【図１】この考案を印刷による月表式カレンダーに適用した場合のこの考案の実施の形態１を示す正面図である。
【図２】実施の形態１のカレンダーの表紙ページにおける補助的表示の一例を示す正面図である。
【図３】実施の形態１のカレンダーの表紙ページにおける補助的表示の別の例を示す正面図である。
【図４】この考案を印刷による年表式カレンダーに適用した場合のこの考案の実施の形態２を示す正面図である。
【図５】この考案を印刷による日表式カレンダーに適用した場合のこの考案の実施の形態３を示す正面図である。
【図６】この考案を電子又は電気表示式カレンダーに適用した場合のこの考案の実施の形態４を示すシステム構成ブロック図である。
【考案を実施するための形態】
【００１７】
以下この考案を一般に「カレンダー」と呼ばれる物品に適用した場合のこの考案の実施の形態を説明する。
《実施の形態１：月表式カレンダー》
この考案を月表式カレンダー（月めくり式カレンダー）に適用した場合の実施の形態を図１に示す。このカレンダー１０（カレンダー表示器具）は、１９６４年の出来事を表示した２０２０年用の月表式カレンダーであり、一例として１０月分の１ページ（１枚の紙片又は板片）の表示面１１における印刷表示を示している。すなわち、カレンダー１０の一面には、各表示項目について次の事項が印刷で一覧可能に表示されている。
・現暦年の表示１２：「２０２０」
・同一曜日回り過去暦年の表示１４：「１９６４」
・暦月の表示１６：「１０月」
・曜日の表示１８：「月」「火」・・・「日」
・暦日の表示２０：「１」「２」・・・「３１」
・出来事の表示２２：「東海道新幹線開業」「東京オリンピック開会」等（１９６４年１０月の該当日に発生した出来事の内容を示す表示）
残り１１ページの月表についても、これに倣って、各表示項目について、２０２０年と１９６４年の１〜９、１１、１２各月分の事項が印刷で表示されている。
【００１８】
現暦年の表示１２と同一曜日回り過去暦年の表示１４は、カレンダー１０の上部に、相互に隣接して配置されている。ただし、現暦年の表示１２と同一曜日回り過去暦年の表示１４は、現暦年の方が主であることを表すために、現暦年の表示１２の方が同一曜日回り過去暦年の表示１４よりも目立つように、表示方法を異ならせて表示されている。その表示の異ならせ方として、図１の例では、現暦年の表示１２を濃く表示し、同一曜日回り過去暦年の表示１４を薄く表示している。このほか、
・現暦年の表示１２を太く表示し、同一曜日回り過去暦年の表示１４を細く表示する、
・現暦年の表示１２を大きく表示し、同一曜日回り過去暦年の表示１４を小さく表示する、
・現暦年の表示１２をカッコなしで表示し、同一曜日回り過去暦年の表示１４をカッコ内に表示する、
等による表示の異ならせ方によっても、現暦年の表示１２の方が同一曜日回り過去暦年の表示１４よりも目立つように表示することができる。
【００１９】
２０２０年と１９６４年は暦月、暦日及び曜日の関係が年間を通じて同じなので、暦月の表示１６、曜日の表示１８、暦日の表示２０は両年で共通である。暦日の表示２０は、縦線と横線による枠で日単位に仕切られた暦日の表示領域２４（すなわち、各暦日に割り当てられた領域）内にそれぞれ記されている。出来事の表示２２は、それぞれの出来事が発生した月日に該当する暦日の表示領域２４内に暦日の表示２０に表示されている。出来事の表示２２で表示される出来事は１９６４年に発生した出来事であるが、２０２０年と１９６４年は暦月、暦日及び曜日の関係が同じなので、各出来事の表示２２が記された暦日の表示領域２４の曜日（曜日の表示１８で特定される曜日）がその出来事の発生曜日である。したがって、出来事の表示２２自体には個別に曜日の表示は付記されていない。また、出来事の表示２２に表示される出来事はいずれも特定の１年間に（ここでは１９６４年に）発生した出来事なので、出来事の表示２２自体には個別に該出来事が発生した暦年の表示は付記されていない。なお、暦日の表示領域２４は枠で仕切られていなくてもよい。すなわち、暦日の表示領域２４が枠で仕切られていなくても、暦日の表示２０に隣接して出来事の表示２２を表示することにより、出来事の表示２２で表示された出来事の発生日を、該隣接した暦日の表示２０で表示された日と特定することができる。
【００２０】
以上の構成のカレンダー１０によれば、その使用者は、現暦年である２０２０年に、現在のカレンダーを利用しながら、前回の東京オリンピックがあった１９６４年の出来事を、出来事の表示２２により、時の流れの中で振り返り、実感することができる。つまり歴史を追体験することができる。特に、出来事の表示２２には、１９６４年以外の同一曜日回り過去暦年に発生した出来事も、同一曜日回り過去暦年以外の過去の暦年に発生した出来事も表示されていないので、追体験に邪魔な情報がなく、追体験を容易に行うことができる。しかも、出来事の表示２２自体に曜日の表示は付記されていなくても、その発生曜日を曜日の表示１８により知ることができる。また、出来事の表示２２に表示されている出来事は、その出来事が発生した曜日に表示されているので、同じ出来事が１ヶ月に複数回、同じ曜日に発生しているような場合には、その出来事が発生する曜日の傾向を容易に把握することができる。また、出来事の表示２２には１９６４年以外の同一曜日回り過去暦年に発生した出来事は表示されていないので、発生した複数の出来事が相互に関連している場合にその関連性を認識するのが容易である。
【００２１】
カレンダー１０における補助的表示（すなわち、現暦年と同一曜日回り過去暦年とで暦月、暦日及び曜日の関係が同じであることを示す又は示唆する表示、及び出来事の表示で表示される出来事が、同一曜日回り過去暦年の表示で特定される過去の暦年に発生した出来事であることを示す又は示唆する表示）の一例を図２に示す。これは、カレンダー１０の表紙ページ１３に補助的表示１５を表示したものである。表紙ページ１３には、現暦年の表示１２と同一曜日回り過去暦年の表示１４も併せて表示されている。この補助的表示１５により、カレンダー１０の使用者は、このカレンダー１０が、現暦年の表示１２で表示される現暦年と、同一曜日回り過去暦年の表示１４で表示される同一曜日回り過去暦年とで、暦月、暦日及び曜日の関係が同じであるカレンダーであること、及びカレンダー１０に表示されている各出来事が、同一曜日回り過去暦年の表示１４で特定される過去の暦年に発生した出来事であることを理解することができる。その結果、使用者は、出来事の表示２２で表示される同一曜日回り過去暦年の出来事について、その発生した暦月、暦日及び曜日を、カレンダー１０がその機能を果たすために本来的に有する暦月の表示１６、暦日の表示２０、曜日の表示１８により知ることができる。
【００２２】
カレンダー１０における補助的表示の別の例を図３に示す。この例も、カレンダー１０の表紙ページ１３に補助的表示１５を表示したもので、図２の例よりも短文化した補助的表示１５を表示している。表紙ページ１３には、現暦年の表示１２と同一曜日回り過去暦年の表示１４も併せて表示されている。この補助的表示１５により、カレンダー１０の使用者は、このカレンダー１０が、現暦年の表示１２で表示される現暦年と、同一曜日回り過去暦年の表示１４で表示される同一曜日回り過去暦年とで、暦月、暦日及び曜日の関係が同じであるカレンダーであること、及びカレンダー１０に表示されている各出来事が、同一曜日回り過去暦年の表示１４で特定される過去の暦年に発生した出来事であることを理解することができる。なお、図３の補助的表示１５よりもさらに短文化した補助的表示（例えば「表示されている出来事は、暦月、暦日及び曜日の関係が２０２０年と同じである１９６４年の該当日の出来事です」等）を、各月のページの表示面１１（図１）の余白箇所に表示することもできる。
【００２３】
《実施の形態２：年表式カレンダー》
この考案を年表式カレンダー（ポスターカレンダー）に適用した場合の実施の形態を図４に示す。実施の形態１（図１）と共通する箇所には、実施の形態１で使用したものと同じ符号を用いる。このカレンダー３０（カレンダー表示器具）は、１９６４年の出来事を表示した２０２０年用の年表式カレンダーであり、１年分のカレンダーを１ページ（１枚の紙片又は板片）に表示した表示面３１における印刷表示を示している。カレンダー３０の一面には、次の表示が一覧可能に印刷で表示されている。各月ごとの表示の態様は、月ごとに暦年が表示されていないこと以外は、実施の形態１（図１）で説明したものと同じである。
・現暦年の表示１２：「２０２０」
・同一曜日回り過去暦年の表示１４：「１９６４」
・暦月の表示１６：「１月」「２月」・・・「１２月」
・曜日の表示１８：「月」「火」・・・「日」
・暦日の表示２０：「１」「２」・・・「３１」
・出来事の表示２２：１９６４年の該当日に発生した出来事の内容を示す表示
・補助的表示１５：現暦年と同一曜日回り過去暦年とで暦月、暦日及び曜日の関係が同じであることを示す又は示唆する表示、及び出来事の表示で表示される出来事が、同一曜日回り過去暦年の表示で特定される過去の暦年に発生した出来事であることを示す又は示唆する表示
【００２４】
現暦年の表示１２と同一曜日回り過去暦年の表示１４は、カレンダー３０の上部に、相互に隣接して配置されている。ただし、現暦年の表示１２と同一曜日回り過去暦年の表示１４は、現暦年の方が主であることを表すために、現暦年の表示１２を太字でかつカッコなしで表示し、同一曜日回り過去暦年の表示１４を細字でかつカッコ内に表示して、現暦年の表示１２の方が同一曜日回り過去暦年の表示１４よりも目立つように表示している。出来事の表示２２は、それぞれの出来事が発生した月日に該当する暦日の表示領域２４内に表示されている。
【００２５】
以上の構成のカレンダー３０によれば、その使用者は、現暦年である２０２０年に、現在のカレンダーを利用しながら、１９６４年の１年間の出来事を、ページをめくることなく出来事の表示２２により時の流れの中で振り返り、実感することができる。つまり１年間の歴史を容易に追体験することができる。特に、出来事の表示２２には、１９６４年以外の同一曜日回り過去暦年に発生した出来事も、同一曜日回り過去暦年以外の過去の暦年に発生した出来事も表示されていないので、追体験に邪魔な情報がなく、追体験を容易に行うことができる。しかも、出来事の表示２２自体に曜日の表示は付記されていなくても、その発生曜日を曜日の表示１８により知ることができる。また、出来事の表示２２に表示されている出来事は、その出来事が発生した曜日に表示されているので、同じ出来事が１年間に複数回、同じ曜日に発生しているような場合には、その出来事が発生する曜日の傾向を容易に把握することができる。また、出来事の表示２２には１９６４年以外の同一曜日回り過去暦年に発生した出来事は表示されていないので、１年間に発生した複数の出来事が相互に関連している場合にその関連性を認識するのが容易である。
【００２６】
《実施の形態３：日表式カレンダー》
この考案を日表式カレンダー（日めくり式カレンダー）に適用した場合の実施の形態を図５に示す。実施の形態１（図１）及び実施の形態２（図４）と共通する箇所には、実施の形態１，２で使用したものと同じ符号を用いる。このカレンダー４０（カレンダー表示器具）は、１９６４年の出来事を表示した２０２０年用の日表式カレンダーであり、１０月１０日分の１ページ（１枚の紙片又は板片）の表示面４１における印刷表示を示している。カレンダー４０の一面には、次の表示が一覧可能に印刷で表示されている。
・現暦年の表示１２：「２０２０」
・同一曜日回り過去暦年の表示１４：「１９６４」
・暦月の表示１６：「１０月」
・曜日の表示１８：「土曜日」
・暦日の表示２０：「１０」
・出来事の表示２２：「東京オリンピック開会」
・月表の付記表示４２：１０月の月表を小さく表示
【００２７】
現暦年の表示１２と同一曜日回り過去暦年の表示１４は、カレンダー４０の上部に、相互に隣接して配置されている。ただし、現暦年の表示１２と同一曜日回り過去暦年の表示１４は、現暦年の方が主であることを表すために、現暦年の表示１２を太字でかつカッコなしで表示し、同一曜日回り過去暦年の表示１４を細字でかつカッコ内に表示して、現暦年の表示１２の方が同一曜日回り過去暦年の表示１４よりも目立つように表示している。出来事の表示２２は、それぞれの出来事が発生した月日に該当する暦日の表示領域２４内に表示されている。この実施の形態は日めくり式であるので、１ページの表示面４１の全域が暦日の表示領域２４である。
【００２８】
カレンダー４０における補助的表示（すなわち、現暦年と同一曜日回り過去暦年とで暦月、暦日及び曜日の関係が同じであることを示す又は示唆する表示、及び出来事の表示で表示される出来事が、同一曜日回り過去暦年の表示で特定される過去の暦年に発生した出来事であることを示す又は示唆する表示）は、例えばカレンダー４０の表紙ページ（図示せず）に表示することができる。補助的表示の内容は、例えば実施の形態１に関し図２に示したものと同様の内容とすることができる。なお、図２の補助的表示１５よりも短文化した補助的表示を、各月のページの表示面４１の余白箇所に表示することもできる。なお、図５の例では、日表の各ページにも出来事の表示２２に「（１９６４年の出来事）」である旨の補助的表示１５を付記表示している。
【００２９】
以上の構成のカレンダー４０によれば、その使用者は、図５のページを開く２０２０年１０月１０日土曜日の時点で、１９６４年１０月１０日土曜日に前回の東京オリンピックが開会されたことを知ることができる。
【００３０】
《実施の形態４：電子又は電気表示式カレンダー》
前記実施の形態１〜３では、紙片、板片等の物体に印刷表示するカレンダーにこの考案を適用した場合について示したが、この考案はパソコン、スマートフォン、タブレット端末や電光掲示板等に電子的又は電気的にカレンダーを表示する電子又は電気表示式カレンダーにも適用することができる。電子又は電気表示式カレンダーの実施の形態を図６に示す。カレンダー５０（カレンダー表示器具）は、パソコン、スマートフォン、タブレット端末等の端末装置や電光掲示板等で構成される。記憶装置５２には、過去、現在、未来の各暦年のカレンダーのデータ、過去の暦年の出来事のデータ、暦月、暦日及び曜日の関係が同じである２つの暦年の組合せのデータ等が記憶されている。表示制御装置５４には、カレンダー表示、過去の出来事の表示、補助的表示等を行うためのコンピュータプログラムが設定されている。表示制御装置５４には現在の年月日及び時刻情報が順次入力される。表示制御装置５４は、現在の年月日及び時刻情報に応じて、記憶装置５２から現暦年のカレンダーのデータ、及び現暦年と対応づけられた同一曜日回り過去暦年の出来事のデータを読み出して、所定のカレンダー表示様式に配列してディスプレイ５６に表示する。具体的には、例えば図１（月表式の場合）、図４（年表式の場合）、図５（日表式の場合）に示した印刷表示と同様の表示様式によるディスプレイ表示とすることができる。表紙ページとして、図２に示した印刷表示と同様の表示様式によるディスプレイ表示を行うこともできる。すなわち、この表紙ページには、現暦年の表示１２、同一曜日回り過去暦年の表示１４、補助的表示１５（現暦年と同一曜日回り過去暦年とで暦月、暦日及び曜日の関係が同じであることを示す又は示唆する表示、及び出来事の表示で表示される出来事が、同一曜日回り過去暦年の表示で特定される過去の暦年に発生した出来事であることを示す又は示唆する表示）等が含まれている。したがって、使用者は、このカレンダー５０が、現暦年の表示１２で表示される現暦年と、同一曜日回り過去暦年の表示１４で表示される同一曜日回り過去暦年とで、暦月、暦日及び曜日の関係が同じであるカレンダーであることを理解することができる。その結果、カレンダー５０の使用者は、図１、図４、図５と同様の表示様式によるディスプレイ表示を見て、出来事の表示２２で表示される同一曜日回り過去暦年の出来事について、その発生した暦月、暦日及び曜日を、カレンダー５０がその機能を果たすために本来的に有する暦月の表示１６、暦日の表示２０、曜日の表示１８により知ることができる。さらに、出来事の表示２２にリンクを張っておき、ディスプレイ５６上で、出来事の表示２２を選択操作し（すなわち、パソコンの場合は出来事の表示２２にカーソルを当ててクリック操作する、スマートフォン、タブレット端末の場合は出来事の表示２２を指でタッチ操作する等）、リンク先から該出来事に関連する画像、映像、音声、テキスト等の情報（以下「出来事関連情報」という）を取得して、該出来事関連情報をディスプレイ５６に表示し又は該出来事関連情報による音声を再生するように構成することができる。これにより、操作者はその出来事の内容をより詳しく確認することができる。このとき、リンク先がインターネット５８に接続されたサーバー６０（６０−１，６０−２，６０−３，・・・）上にある場合は、インターネット５８を経由して、その出来事の表示２２に張られたリンク先のサーバー６０（６０−１，６０−２，６０−３，・・・のうち該当するもの）にアクセスして、そのサーバー６０から該出来事関連情報を取得することができる。あるいは、リンク先が記憶装置５２内にある場合は、記憶装置５２から該出来事関連情報を取得することができる。また、記憶装置５２から取得した該出来事関連情報にさらにリンクが張られており、そのリンク先がインターネット５８に接続されたサーバー６０（６０−１，６０−２，６０−３，・・・）上にある場合は、自動で又は操作者による選択操作により、インターネット５８を経由してリンク先のサーバー６０（６０−１，６０−２，６０−３，・・・のうち該当するもの）にアクセスして、そのサーバー６０からさらに詳細な出来事関連情報（画像、映像、音声、テキスト等の情報）を取得することができる。
【００３１】
《変更例》
前記実施の形態では、２０２０年をカレンダーの現暦年、１９６４年を同一曜日回り過去暦年としたが、２０２０年を現暦年とする場合は、１８６８年、１８９６年、１９０８年、１９３６年、１９９２年等を同一曜日回り過去暦年とすることができる。このほか、２０２１年を現暦年とする場合は１９３７年等を同一曜日回り過去暦年とし、２０２２年を現暦年とする場合は１９１０年等を同一曜日回り過去暦年とし、２０２３年を現暦年とする場合は１９８９年等を同一曜日回り過去暦年とし、２０２４年を現暦年とする場合は１９６８年等を同一曜日回り過去暦年とすることができる。
【００３２】
前記実施の形態では、暦月、暦日及び曜日の関係が現暦年と同じである過去の特定の１年間に発生した出来事を表示したが、暦月、暦日及び曜日の関係が現暦年と同じである過去の特定の複数年間に発生した出来事を、発生した暦年をそれぞれ識別可能にして表示する（例えば、出来事ごとに発生暦年をカッコ書きで付記表示する、暦年ごとに出来事を色分け表示する等）こともできる。
【００３３】
前記実施の形態では、同一曜日回り過去暦年に限り出来事を該当日に表示したが、この表示に加えて、同一曜日回り過去暦年以外の出来事及び／又は現暦年に予定されている出来事を該当日に表示することもできる。この場合、同一曜日回り過去暦年の出来事を特定の色で表示する等の方法により、同一曜日回り過去暦年の出来事であることを表すこともできる。 
【００３４】
前記実施の形態では、この考案を「カレンダー」の名称で呼ばれる物品に適用した場合について説明したが、この考案はカレンダー機能を有するスケジュール表、スケジュール帳、手帳、日記帳等にも適用することができる。
【符号の説明】
【００３５】
１０…カレンダー（カレンダー表示器具）、１１…１ページの表示面、１２…現暦年の表示、１３…表紙ページ、１４…同一曜日回り過去暦年の表示、１５…補助的表示、１６…暦月の表示、１８…曜日の表示、２０…暦日の表示、２２…出来事の表示、２４…暦日の表示領域、３０…カレンダー（カレンダー表示器具）、３１…１ページの表示面、４０…カレンダー（カレンダー表示器具）、４１…１ページの表示面、４２…月表の付記表示、５０…カレンダー（カレンダー表示器具）、５２…記憶装置、５４…表示制御装置、５６…ディスプレイ、５８…インターネット、６０（６０−１，６０−２，６０−３，・・・）…サーバー
【図１】
0003220714.tif 000003
【図２】
0003220714.tif 000004
【図３】
0003220714.tif 000005
【図４】
0003220714.tif 000006
【図５】
0003220714.tif 000007
【図６】
0003220714.tif 000008